(57)【要約】      （修正有）【課題】ユーザが簡単に発光条件を調整することができ、ユーザが調整したオリジナルの発光条件をライトで再現することができるライト調整システムを提供する。【解決手段】ライトの発光制御を行うライト調整システムであって、ライト２００と、該ライト２００と通信可能な携帯端末１にインストールされたアプリケーションソフトとを備える。【選択図】図４
2018022704.tif 000002
【特許請求の範囲】
【請求項１】
ライトの発光制御を行うライト調整システムにおいて、
前記ライトと通信可能な携帯端末にインストールされたアプリケーションソフトと、
前記アプリケーションソフトは、
ユーザからの入力情報を受け付ける受付部と、
前記入力情報に基づいて、色の要素を含む色の要素情報を調整する色調整部と、
前記調整された色の要素情報を前記ライトに送信する送信部とを備え、
前記ライトは、
前記送信された色の要素情報を受信する受信部と、
前記受信された色の要素情報に基づいて、ライトの発光条件を制御する発光制御部と、
前記発光制御部が制御した前記発光条件に基づいて前記ライトが発光する発光部と
を備えるライト調整システム。
【請求項２】
前記色調整部は、
前記発光条件のうち、発光色を調整するものであって、前記発光色は、少なくともＲＧＢ値であることを特徴とする請求項１記載のライト調整システム。
【請求項３】
前記色調整部は、更に、
前記発光条件のうち、明度を調整することにより、発光した際の明るさ、および／または、強さを調整されたものであることを特徴とする請求項１または２項記載のライト調整システム。
【請求項４】
前記色調整部は、
前記発光条件のうち、発光する色の順番を調整されたものであることを特徴とする請求項１から３いずれか１項記載のライト調整システム。
【請求項５】
前記色調整部は、
前記発光条件のうち、点灯、および／または、消灯の時間を調整されたものであることを特徴とする請求項１から４いずれか１項記載のライト調整システム。
【請求項６】
前記ライト調整システムは、複数のライトを備えるものであって、
前記複数のライトそれぞれは、同一の色の要素情報を受信するものであることを特徴とする請求項１から５いずれか１項記載のライト調整システム。
【請求項７】
前記アプリケーションソフトは、更に、
前記色の要素情報を表示制御部に表示するための表示制御部を備えることを特徴とする請求項１から６いずれか１項記載のライト調整システム。
【請求項８】
前記アプリケーションソフトは、更に、
前記受付部で受け付けた入力情報が音を含む情報であって、
前記送信部は、
前記音を含む情報および調整された色の要素情報を送信し、
前記ライトは、更に、
前記音を含む情報を受け付ける受音部を備え、
前記発光部は、
前記音を含む情報に基づいて、発光条件の発光を始めることを特徴とする請求項１から７いずれか１項記載のライト調整システム。
【請求項９】
前記ライト調整システムは、更に、
前記ライトが複数の発光部を備え、
前記ライトが発光する際に、複数の発光部をそれぞれ異なる発光条件で発光させることを特徴とする請求項１から８いずれか１項記載のライト調整システム。
【請求項１０】
前記ライト調整システムは、ライトを複数備えるものであって、
前記複数のライトを連結することによって、一のライトが受信した発光条件を、他のライトに送信し、前記複数のライトが同じ発光条件で発光することを特徴とする請求項１から９いずれか１項記載のライト調整システム。
【請求項１１】
前記携帯端末にインストールされたアプリケーションソフトから、該アプリケーションソフトの受付部を介して、色の要素を調整し、該調整された色の要素情報を送信されたものを受信する受信部と、
前記受信された色の要素情報に基づいて、ライトの発光条件を制御する発光制御部とを備えるライト。
【請求項１２】
ユーザからの入力情報を受け付けて色の要素を含む色の要素情報を調整するためのアプリケーションソフトがインストールされた携帯端末と、
所定の要素情報に基づいて発光条件を切り替えて点灯するライトと、
少なくとも、前記携帯端末から前記要素情報を受信し、かつ、受信した要素情報を前記ライトに送信する通信端末と、
を備えるライト調整システム。
【発明の詳細な説明】
【技術分野】
【０００１】
本発明は、ライト調整システムおよびライトに関するものであって、特に、ライトを発光させるためのライト調整システムおよびライトに関するものである。
【背景技術】
【０００２】
イベント・祝祭行事などにおいて、ペンライトや、照明など光を用いて演出効果を高めるものや、光によって興味を引き立てるライトが多く流通している。
【０００３】
とりわけ、ライトは、コンサート等の夜間に行われるイベントにおいては、点灯した状態で振りかざし、会場を盛り上げるために多く用いられている。
【０００４】
例えば、特許文献１に記載されているように、胴体部の前端に遮光部を設けることによって、発光部が発光する、前方への光線の照度を抑えることが可能な、安全な棒状ライトが知られている。
【０００５】
特許文献１における棒状ライトでは、発光部が電源部からの動力供給を受け発光し、発光ダイオード等を用いて発光させている。各発光体が単一の発光色に発光したり、各発光体が複数の発光色に発光したりする棒状ライトが開示されている。
【先行技術文献】
【特許文献】
【０００６】
【特許文献１】特開２０１３−２４７０８５号公報
【発明の概要】
【発明が解決しようとする課題】
【０００７】
しかしながら、上記特許文献１に記載された方法では、あらかじめ棒状ライトに設定された発光ダイオードの色が発光されるだけで、ユーザの好みに応じた発光条件で発光することができないという問題があった。
【０００８】
そこで本発明の目的は、ユーザが簡単に発光条件を調整することができ、ユーザが調整したオリジナルの発光条件をライトで再現することができるライト調整システムおよびライトを提供することを目的とするものである。
【課題を解決するための手段】
【０００９】
本発明に係るライト調整システムは、ライトの発光制御を行うライト調整システムにおいて、ライトと通信可能な携帯端末にインストールされたアプリケーションソフトと、アプリケーションソフトは、ユーザからの入力情報を受け付ける受付部と、入力情報に基づいて、色の要素を含む色の要素情報を調整する色調整部と、調整された色の要素情報をライトに送信する送信部とを備え、ライトは、送信された色の要素情報を受信する受信部と、受信された色の要素情報に基づいて、ライトの発光条件を制御する発光制御部と発光制御部が制御した発光条件に基づいてライトが発光する発光部とを備えることを特徴とする。
【００１０】
本発明に係るライトは、携帯端末にインストールされたアプリケーションソフトから、該アプリケーションソフトの受付部を介して、色の要素を調整し、該調整された色の要素情報を送信されたものを受信する受信部と、受信された色の要素情報に基づいて、ライトの発光条件を制御する発光制御部とを備えることを特徴とする。
【００１１】
色調整部は、発光条件のうち、発光色を調整するものであって、発光色の調整は、少なくともＲＧＢ値であることができる。
【００１２】
色調整部は、更に、発光条件のうち、発光色を調整するものであって、発光色は、明度を調整することにより、発光した際の明るさ、および／または、強さを調整されたものであることができる。
【００１３】
色調整部は、発光条件のうち、発光する色の順番を調整されたものであることができる。
【００１４】
色調整部は、発光条件のうち、点灯、および／または、消灯の時間を調整されたものであることができる。
【００１５】
ライト調整システムは、複数のライトを備えるものであって、複数のライトそれぞれは、同一の色の要素情報を受信するものであることを特徴とすることができる。
【００１６】
アプリケーションソフトは、更に、色の要素情報を表示制御部に表示するための表示制御部を備えることができる。
【００１７】
アプリケーションソフトは、更に、受付部で受け付けた入力情報が音を含む情報であって、送信部は、音を含む情報および調整された色の要素情報を送信し、ライトは、更に、音を含む情報を受け付ける受音部を備え、発光部は、音を含む情報に基づいて、発光条件の発光を始めることができる。
【００１８】
ライト調整システムは、ライトが複数の発光部を備え、ライトが発光する際に、複数の発光部をそれぞれ異なる発光条件で発光させることを特徴とするができる。
【００１９】
ライト調整システムは、ライトを複数備えるものであって、複数のライトを連結することによって、一のライトが受信した発光条件を他のライトに送信し、複数のライトが同じ発光条件で発光することができる。
【発明の効果】
【００２０】
本発明によれば、アプリケーションソフトは、ユーザからの入力情報を受け付ける受付部と、入力情報に基づいて、色の要素を含む色の要素情報を調整する色調整部と、調整された色の要素情報をライトに送信する送信部とを備え、ライトは、送信された色の要素情報を受信する受信部と、受信された色の要素情報に基づいて、ライトの発光条件を制御する発光制御部と、発光制御部が制御した発光条件に基づいてライトが発光する発光部とを備えることにより、ユーザが簡単に発光条件を調整することができ、ユーザが調整したオリジナルの発光条件をライトで再現することを可能にする。
【００２１】
本発明のライトは、携帯端末にインストールされたアプリケーションソフトから、該アプリケーションソフトの受付部を介して、色の要素を調整し、該調整された色の要素情報を送信されたものを受信する受信部と、受信された色の要素情報に基づいて、ライトの発光条件を制御する発光制御部とを備えることにより、ユーザが簡単に発光条件を調整することができ、ユーザが調整したオリジナルの発光条件をライトで再現することを可能にする。
【００２２】
本発明の色調整部は、発光条件のうち、発光色を調整するものであって、発光色は、少なくともＲＧＢ値であることにより、ユーザの好みに応じ、適宜使用する目的に合わせた発光条件で発光することが可能となる。
【００２３】
本発明の色調整部は、更に、発光条件のうち、明度を調整することにより、ユーザの好みに応じ、発光した際の明るさ、および／または、強さを調整されたものであることが可能となる。
【００２４】
本発明の色調整部は、発光条件のうち、発光する色の順番を調整されたものであることにより、ユーザの好みに応じ、適宜使用する目的に合わせた発光条件で発光することが可能となる。
【００２５】
本発明の色調整部は、発光条件のうち、点灯、および／または、消灯の時間を調整されたものであることによって、ユーザの好みに応じ、適宜使用する目的に合わせた発光条件で発光することが可能となる。
【００２６】
本発明のライト調整システムは、複数のライトを備えるものであって、複数のライトそれぞれは、同一の色の要素情報を受信することによって、他のユーザが作成した発光条件で共に発光することが可能となる。
【００２７】
本発明のアプリケーションソフトは、更に、色の要素情報を表示制御部に表示するための表示制御部を備えることにより、ユーザが選択した発光条件を、その場で視覚的に認識することができる。
【００２８】
本発明のアプリケーションソフトは、更に、受付部で受け付けた入力情報が音を含む情報であって、送信部は、音を含む情報および調整された色の要素情報を送信し、ライトは、更に、音を含む情報を受け付ける受音部を備え、発光部は、音を含む情報に基づいて、発光条件の発光を始めることによって、自動で再生が可能になる。
【００２９】
本発明のライト調整システムは、ライトが複数の発光部を備え、ライトが発光する際に、複数の発光部をそれぞれ異なる発光条件で発光させることにより、例えば、発光部の右側面は消灯させ、発光部の左側面は点灯させる等の異なった発光条件を実行することができる。
【００３０】
本発明のライト調整システムは、ライトを複数備えるものであって、複数のライトを連結することによって、一のライトが受信した発光条件を、他のライトに送信し、複数のライトが同じ発光条件で発光することによって、同じ発光条件に基づく発光を複数のライトがすることができる。
【図面の簡単な説明】
【００３１】
【図１】本発明の実施形態におけるライト調整システムの模式図である。
【図２】本発明の実施形態におけるライト調整システムの別の模式図である。
【図３】本発明の実施形態における赤外線リモコンの信号解析用の受信機の模式図である。
【図４】本発明の実施形態におけるアプリケーションソフトおよび本発明の実施形態における棒状ライトのブロック図である。
【図５】本発明の実施形態における（ａ）ライト調整システムの起動画面の実施を示す模式図と、（b）ライト調整システムの設定画面の実施を示す模式図である。
【図６】本発明の実施形態におけるアプリケーションソフトの画面を示す模式図である。
【図７】本発明の実施形態におけるライト調整システムのアプリケーションソフトでの処理のデータフローを示す図である。
【図８】本発明の実施形態におけるライト調整システムの棒状ライトでの処理のデータフローを示す図である。
【図９】本発明の実施形態におけるライト調整システムのさらに別の模式図である。
【図１０】本発明の実施形態におけるライト調整システムのさらに別の模式図である。
【図１１】本発明の実施形態におけるライト調整システムのシェア画面の模式図である。
【図１２】本発明の実施形態におけるライト調整システムのシェア状態の模式図である。
【発明を実施するための形態】
【００３２】
本発明の実施の形態となるライト調整システムについて、図面を参照しながら詳細に説明する。
【００３３】
図1は、本発明の実施形態に従うライト調整システム１００の概要を示す模式図である。
【００３４】
本発明の実施の形態となるライト調整システムについて、ライトは、棒状ライトとして説明をする。
【００３５】
なお、本発明の実施の形態となるライト調整システムにおけるライトは、棒状ライトに限られるものではなく、球体を有するライト等、アミューズメント性のあるイベント、コンサート等で用いられる形状を有するライトが含まれるものとする。
【００３６】
図1に示すように、本発明のライト調整システム１００は、棒状ライト２００と、通信可能な携帯端末１にインストールされたアプリケーションソフトを備える。
【００３７】
本発明のライト調整システム１００は、アプリケーションソフトで作られた調整された色の要素情報を、回線３００を介して棒状ライト２００へ伝えることができる。
【００３８】
携帯端末にアプリケーションソフトが初期設定として備わっていない場合でも、該アプリケーションソフトをダウンロードした上で、インストールをすれば、本発明のライト調整システム１００を実施することができる。
【００３９】
図２に示すように、上記携帯端末１は、携帯電話のアプリケーションソフト２を備えることができれば、パーソナルコンピュータのアプリケーションソフト３でも代替することができる。
【００４０】
図１および図２では、回線３００に赤外線リモコンの信号解析用の受信機を使用している。アプリケーションソフト２を備えた携帯端末１から回線３００を通じて、アプリケーションソフト２で作られた調整された色の要素情報を通信できればよいため、回線３００は、有線でも良いし、赤外線、Wi-Fi（登録商標）、Bluetooth（登録商標）等の無線でも良い。
【００４１】
赤外線を用いて調整された色の要素情報を上記棒状ライト２００に伝える場合には、あえて微弱な赤外線を用いることによって、携帯端末１を接近させた棒状ライト２００のみに上記調整された色の要素情報を伝達するようにすることができる。微弱な赤外線を用いることにより、周囲の他の赤外線情報を混線を防ぐ事ができる。
【００４２】
図１に示す例では、微弱な赤外線を用いる回線３００によりアプリケーションソフト２と棒状ライト２００とを繋いでいるため、回線３００と棒状ライト２００とがかなり接近した状態で通信を行っている。
【００４３】
図1に示すように、上記携帯端末１０が赤外線通信のための機能を内蔵していない場合には、図３に示すように、赤外線リモコンの信号解析用の受信機４を使用することによって、赤外線通信を可能とすることができる。
【００４４】
図1に示すように、例えば、Ａｎｄｒｏｉｄ端末（登録商標）を上記携帯端末１として利用する場合には、イヤホンジャックに赤外線リモコンの信号解析用の受信機４を接続することによって、赤外線による通信が可能になる。
【００４５】
本発明のライト調整システム１００は、棒状ライト２００の発光制御を行うライト調整システム１００において、棒状ライト２００と通信可能な携帯端末１にインストールされたアプリケーションソフト２と、アプリケーションソフト２は、ユーザからの入力情報を受け付ける受付部と、入力情報に基づいて、色の要素を含む色の要素情報を調整する色調整部と、調整された色の要素情報を棒状ライトに送信する送信部とを備え、棒状ライト２００は、送信された色の要素情報を受信する受信部と、受信された色の要素情報に基づいて、棒状ライト２００の発光条件を制御する発光制御部と発光制御部が制御した発光条件に基づいて棒状ライト２００が発光する発光部とを備えるものとする。
【００４６】
まず、本発明のライト調整システム１００における、アプリケーションソフト２について説明する。
【００４７】
図４は、本発明の実施形態に従うアプリケーションソフトを含む携帯端末１および棒状ライト２００を示すブロック図である。図４に示すように、アプリケーションソフト２は、ユーザからの入力情報を受け付ける受付部１０と、入力情報に基づいて、色の要素を含む色の要素情報を調整する色調整部２０と、調整された色の要素情報を棒状ライト２００に送信する送信部３０とを備えるものとする。
【００４８】
ユーザは、携帯端末のタッチパネル機能を介して、発光色（例えば、白色、赤色、青色等）、発光の強弱（光の強さ）、発光色の濃淡、これらを発光させる順番およびこれらの発光時間・リズム等の情報を入力することができる。また、タッチパネルではなく、キーボード入力機能またはペンタッチ機能であってもよい。
【００４９】
ユーザは、入力することにより、棒状ライトの発光色を、上述したように、少なくともＲＧＢ値を調整することにより幅広い色の表現を棒状ライト２００で再現することができるようになる。
【００５０】
受付部１０で入力した情報をユーザが選択し、色の要素情報として決定すると、その情報が上記送信部３０から棒状ライト２００に送信することができる。
【００５１】
具体的には、送信部３０から送信された色の要素情報は、受信部４０で受信することができる。
【００５２】
アプリケーションソフト２は、色の要素情報を制御する、色の要素情報制御部を備えることができる。
【００５３】
色の要素情報には、発光色、発光の強弱、発光色の濃淡、これらを発光させる順番およびこれらの発光時間・リズム等の情報を含むことができるものとする。
【００５４】
次に、本発明のライト調整システム１００における、棒状ライト２００について説明する。
【００５５】
図４に示すように、本発明の棒状ライト２００は、携帯端末にインストールされたアプリケーションソフト２から、該アプリケーションソフト２の受付部１０を介して、色の要素を調整し、該調整された色の要素情報を送信されたものを受信する受信部４０と、受信された色の要素情報に基づいて、棒状ライト２００の発光条件を制御する発光制御部５０とを備える。
【００５６】
受信部４０は、アプリケーションソフト２で作られた情報が色の要素を調整することにより作られた発光条件であって、上記回線３００を通じて上記棒状ライト２００が上記発光条件を受信することができる。上記アプリケーションソフト２で作られた情報には、発光する色の情報を含むものとすることができる。
【００５７】
上記色の要素は、１つの要素でもよいし、複数の要素でも良い。例えば、１つの要素による単色の発光もできるし、ＲＧＢ値を調整することによる発光もすることができる。
【００５８】
発光条件には、光に関する色、光に関する色の濃淡、点滅のリズム、光の強さ、光の強さ、これらを発光させる順番、および、これらの情報を再生するための条件等の情報を含むことができる。
【００５９】
発光制御部５０は、上記受信部４０が受信した上記発光条件に関して、上記棒状ライト２００が発光条件を制御することができる。つまり、上記アプリケーションソフト２で作られた情報を棒状ライト２００が内蔵する制御部で制御することができる。
【００６０】
発光制御部５０は、制御回路を有することができる。制御回路として、例えば、ＣＰＵやＩＣチップ等の基板回路を挙げることができる。
【００６１】
本発明のライト調整システム１００は、棒状ライト２００にあらかじめ、デフォルトの発光条件を上記制御回路に記憶させておいても良い。
【００６２】
棒状ライト２００は、利用者が棒状ライト２００をつかむための保持部１１０を有していても良い。保持部１１０は、ストラップ等を装着できるような突起物を有してもよい。保持部１１０は、更に、上記発光制御部５０を備える構成としてもよい。
【００６３】
棒状ライト２００は、発光部９０に動力を供給する電源部を有していても良い。具体的には、乾電池やボタン電池等が挙げられる。電源部は、前述の乾電池のように内部に電力を蓄えたものの方が望ましいが、例えばバッテリーのように、外部電源と接続し、電源の供給を受けるものとしてもよい。
【００６４】
棒状ライト２００は、更に、発光制御部５０に対して、発光条件の切り替え指示を与えるスイッチ部を備えることができる。
【００６５】
スイッチ部は、例えば、スイッチ部を押す回数によって、発光部４０の照度を段階的に切り替え可能とすることができる。
【００６６】
保持部は、更に、上記スイッチ部を備える構成としてもよい。
【００６７】
色調整部２０は、発光条件のうち、発光色を調整するものであって、少なくともＲＧＢ値を用いて調整することができる。
【００６８】
ＲＧＢ値は、液晶ディスプレイ、デジタルカメラなどで画像再現に使われている色の表現法の一種であって赤(Red)、緑(Green)、青(Blue)の三つの原色を混ぜて色を再現する加法混合の一種である。また、ＲＧＢ値ではなく、ＣＭＹＫでの色設定であってもよい。また、ＲＧＢＷ値を用いることもできる。
【００６９】
ＲＧＢ値を指定することによって、赤，緑，青の各色を０〜２５５の値で指定し、この値の組み合わせによって色を決定するため、より細やかに、ユーザの希望する色を発光させることができる。
【００７０】
色調整部２０は、更に、棒状ライト２００が発光する発光条件に関して、明度を調整することにより、および／または、出力を調整することにより、発光した際の明るさ、および／または、強さを調整されたものであることができる。
【００７１】
色調整部２０は、発光条件のうち、発光する色の順番を調整されたものであることができる。
【００７２】
上記色調整部２０は、発光条件のうち、点灯、および／または、消灯の時間を調整されたものであることができる。このようにして、光の点滅のリズムを数値で調整することができる。
【００７３】
上記ライト調整システム１００は、複数の棒状ライト２００を備えるものであって、複数の棒状ライト２００それぞれは、同一の色の要素情報を受信することができる。
【００７４】
例えば、同じイベントに参加するコミュニティがあった場合に、イベントで使用をする同じ発光条件を携帯端末を介して、複数の棒状ライト２００が受信することによって、イベント会場において、棒状ライト２００が同じ発光をすることができる。発光条件は、予め自分で設定しておいてもよいし、イベントに対応したアプリを、サーバー上からダウンロードすることで設定してもよい。
【００７５】
上記アプリケーションソフト２は、更に、色の要素情報を表示部に表示するための表示制御部８０を備えることができる。表示制御部８０によって決定した発光条件をリアルタイムに確認することができる。上記表示制御部８０を見ながら、選択して確定し、この情報を棒状ライト２００に送信することができる。
【００７６】
受信部４０は、受信部４０が受信した発光条件を他の棒状ライト２００へ送信することができる。
【００７７】
なお、受付部１０は、上記受信部４０が受信した上記発光条件を受け付けることができる。
【００７８】
なお、表示制御部８０で発光条件を確認できるほか、上記棒状ライト２００でリアルタイムに発光条件を確認できるようにしても良い。
【００７９】
上記棒状ライト２００は、更に、発光制御部５０が制御した発光条件に基づいて棒状ライト２００が発光する発光部９０を備えることができる。
【００８０】
発光部９０は、上記発光制御部５０が制御した上記発光条件に基づいて上記棒状ライト２００が発光する。具体的には発光ダイオード等を用いることができる。発光部９０は、単一の発光色に発光するものとしても良いし、複数の発光色に発光するものとしてもよい。
【００８１】
アプリケーションソフト２は、更に、受付部１０で受け付けた入力情報が音を含む情報であって、送信部３０は、音を含む情報および調整された色の要素情報を送信し、棒状ライト２００は、更に、音を含む情報を受け付ける受音部を備え、発光部９０は、音を含む情報に基づいて、発光条件の発光を始めることができる。
【００８２】
音を認識できる受信部４０として棒状ライト２００にスピーカーを設けることができる。
【００８３】
ライト調整システム１００は棒状ライト２００が複数の発光部９０を備え、棒状ライト２００が発光する際に、複数の発光部９０をそれぞれ異なる発光条件で発光させることができる。
【００８４】
上記ライト調整システム１００は、棒状ライト２００を複数備えるものであって、複数の棒状ライト２００を連結することによって、一の棒状ライト２００が受信した発光条件を、他の棒状ライト２００に送信し、複数の棒状ライト２００が同じ発光条件で発光することができる。
【００８５】
図１に示すように、棒状ライト２００は、胴体部１２０および保持部１１０を連結して構成したものとしても良い。発光部９０は、胴体部１２０の前端に設けることができる。
【００８６】
ここで、上記胴体部１２０は、発光部９０の発光の様子が外から確認できるように透過性を有したものをいう。例えば、半透明のプラスチックやガラス等で構成されてもよい。
【００８７】
続いて、本発明のライト調整システム１００により処理されるライト調整の一例について図面を参照しながら説明する。
【００８８】
図５は、本発明のライト調整システム１００の一例を示す模式図であり、図５（a）は、携帯端末１においてアプリケーションソフト２を起動した画面を含む模式図を、図５（b）は、起動したアプリケーションソフト２において色の要素情報を選択し、決定をする画面を含む模式図を表示したものである。
【００８９】
図５に示す例では、棒状ライト２００と携帯端末１を赤外線リモコンの信号解析用の受信機４で通信したライト調整システム１００を示す。携帯端末１のタッチパネルからユーザからの入力情報を受け付け、必要な情報を調整する。
【００９０】
図５（b）に示すように、選択した色味等が視覚的にユーザに認識できるように表示することができる。その上で、ユーザが調整し終えたら「ＳＥＴ」を示すボタンを押して色の要素情報を決定する。
【００９１】
なお、上記ボタンの配置位置は、ユーザの操作が容易なように設計されれば良く、特に限定されるものではない。
【００９２】
図６は、本発明のライト調整システム１００により生成されるアプリケーションソフトの画面の一例を示す模式図であり、ＲＧＢ値を用いて色調を調整する画面の一例を示したものである。
【００９３】
図６に示すように、ＩＤの登録と、色の設定を画面下方の数字版によって設定することができる。さらに、デフォルトカラーを表示することによって、実際の色味とＲＧＢ値の関係を感覚的に捉えやすくしている。
【００９４】
例えば、図６に示す表示制御部８０の中断には、Ｄｅｆａｕｌｔ Ｃｏｌｏｒの欄で数値が設定されている。０１の欄には、Ｒが２５５、Ｇが０、Ｂが０の数字が並んでいる。個の色味表として、０１とＲＧＢ値の間に、表示する色である赤をサンプルとして載せることができる。
【００９５】
同様にして、０２の欄には、Ｒが０、Ｇが０、Ｂが２５５の数字が並んでいる。この場合には、表示する色である青をサンプルとして載せることができる。
【００９６】
ユーザは、上記デフォルトカラーを参考にしながら、図６に示すテンキーからＲＧＢ値の数値を選択して入力をすることができる。
【００９７】
このように、ＲＧＢ値を用いた色調の調整をユーザにとって感覚的に理解しやすくすることによって、より細やかにユーザの希望する色を再現することができる。
【００９８】
図６では、ＲＧＢ値を用いた調整を説明したが、ＲＧＢＷ値等、他の値でも同様に調整することができる。
【００９９】
本発明のライト調整方法の実施の形態について、図７を参照しながら説明する。
【０１００】
本発明のライト調整方法は、棒状ライト２００の発光制御を行うライト調整方法において、棒状ライト２００と通信可能な携帯端末１にインストールされたアプリケーションソフト２により、受付ステップＳ１０と、色調整ステップＳ２０と、送信ステップＳ３０と、を処理し、棒状ライト２００により、受信ステップＳ４０と、発光制御ステップＳ５０とを処理することを特徴とする。
【０１０１】
上記受付ステップＳ１０では、コンピュータの受付手段が、ユーザからの入力情報を受け付ける。受付手段は、上述した受付部１０とすることができる。詳細については上述した通りである。
【０１０２】
上記色調整ステップＳ２０では、コンピュータの色調整手段が、入力情報に基づいて、色の要素を含む色の要素情報を調整する。色調整手段は、上述した色調整部２０とすることができる。詳細については上述した通りである。
【０１０３】
上記送信ステップＳ３０では、コンピュータの送信手段が、調整された色の要素情報を棒状ライト２００に送信する。送信手段は、上述した送信部３０とすることができる。詳細については上述した通りである。
【０１０４】
上記受信ステップＳ４０では、コンピュータの受信手段が、送信された色の要素情報を受信する。受信手段は、上述した受信部４０とすることができる。詳細については上述した通りである。
【０１０５】
上記発光制御ステップＳ５０では、コンピュータの発光制御手段が、受信された色の要素情報に基づいて、棒状ライトの発光条件を制御する。発光制御手段は、上述した発光制御部５０とすることができる。詳細については上述した通りである。
【０１０６】
続いて、棒状ライト２００における本発明のライト調整方法の実施の形態について、図７を参照しながら説明する。
【０１０７】
棒状ライト２００における本発明のライト調整方法は、コンピュータが、受信ステップＳ６０と、発光制御ステップＳ７０とを処理することを特徴とする。
【０１０８】
上記受信ステップＳ６０では、コンピュータの受信手段が、携帯端末１にインストールされたアプリケーションソフト２から、該アプリケーションソフト２の受付ステップを介して、色の要素を調整し、該調整された色の要素情報を送信されたものを受信する。受信手段は、上述した受信部４０とすることができる。詳細については上述した通りである。
【０１０９】
上記発光制御ステップＳ７０では、コンピュータの発光制御手段が、受信された色の要素情報に基づいて、棒状ライト２００の発光条件を制御する。発光制御手段は、上述した発光制御部５０とすることができる。詳細については上述した通りである。
【０１１０】
最後に、本発明のゲームプログラムについて説明する。
【０１１１】
本発明のライト調整プログラムは、棒状ライト２００の発光制御を行うライト調整プログラムにおいて、コンピュータに、棒状ライト２００と通信可能な携帯端末１にインストールされたアプリケーションソフト２と、アプリケーションソフト２が、受付機能と、色調整機能と、送信機能とを実現し、棒状ライト２００が、受信機能と、発光制御機能とを実現させる。
【０１１２】
受付機能は、ユーザからの入力情報を受け付ける。受付機能は、上述した受付部１０により実現されることができる。詳細については上述した通りである。
【０１１３】
色調整機能は、入力情報に基づいて、色の要素を含む色の要素情報を調整する。色調整機能は、上述した色調整機部２０により実現されることができる。詳細については上述した通りである。
【０１１４】
送信機能は、調整された色の要素情報を前記棒状ライトに送信する。送信機能は、上述した送信部３０により実現されることができる。詳細については上述した通りである。
【０１１５】
受信機能は、送信された色の要素情報を受信する。受信機能は、上述した受信部４０により実現されることができる。詳細については上述した通りである。
【０１１６】
発光制御機能は、受信された色の要素情報に基づいて、棒状ライト２００の発光条件を制御する。発光制御機能は、上述した発光制御部５０により実現されることができる。詳細については上述した通りである。
【０１１７】
棒状ライト２００における本発明のライト調整プログラムは、受信機能と、発光制御機能とを実現させる。
【０１１８】
上記受信機能は、コンピュータに、携帯端末１にインストールされたアプリケーションソフト２から、該アプリケーションソフト２の受付機能を介して、色の要素を調整し、該調整された色の要素情報を送信されたものを受信する。受信機能は、上述した受信部４０により実現されることができる。詳細については上述した通りである。
【０１１９】
発光制御機能は、コンピュータに、受信された色の要素情報に基づいて、棒状ライトの発光条件を制御する。発光制御機能は、上述した発光制御部５０により実現されることができる。詳細については上述した通りである。
【０１２０】
ところで、本実施の形態に係るライト調整システム１００は、上記実施の形態に限定されるものではない。例えば、図９に示すように、棒状ライト２００に接続コード４０１を介して接続可能な通信端末４００を備え、色調整ステップＳ２０で調整した色の要素を含む色の要素情報を無線（又は有線）で受信する用にしてもよい。
【０１２１】
この際、通信端末４００は、携帯端末１で送信可能な通信方式（例えば、Bluetooth（登録商標）など）に対応した回線３００を介して要素情報（発光条件）を受信する受信器４０１と、受信器４０１にリール方式で巻き取り・引き出し可能な接続コード４０２と、棒状ライト２００に設けた接続孔（図示せず）に接続可能な端子ピン４０３と、を備える。通信端末４００は、受信器４０１で受信した携帯端末１からの要素情報（発光条件）を受信し、上記制御回路（内部メモリ）に記憶する。この際、受信した要素情報（発光条件）は、デフォルトの発光条件と置き換えても良いし、いずれの発行条件を用いるかの選択を可能としても良い。また、受信器４０１は、接続コード４０２の巻き取りをリール方式等で可能としており、例えば、アイドルグッズとしてのキーホルダー等のアクセサリとすることができる。なお、通信端末４００は、例えば、図１０に示すように、棒状ライト２００に対しても無線方式で通信可能な通信端末５００としてもよい。
【０１２２】
この場合、通信端末５００は、携帯端末１の既存の雌側コネクタ（図示せず）に接続可能な雄側コネクタ５０１と、雄側コネクタ５０１を一端に接続した接続コード５０２と、棒状ライト２００に非接触で通信可能な送信器５０３と、を備える。これにより、通信端末５００は、送信器５０１から送信された携帯端末１からの要素情報を図示しない内部受信器で受信し、上記制御回路（内部メモリ）に記憶する。なお、送信器５０１は、接続コード５０２の巻き取りをリール方式等で可能としており、例えば、アイドルグッズとしてのキーホルダー等のアクセサリとすることができる。なお、通信端末５００は、雄側コネクタ５０１及び接続コード５０２を廃止し、携帯端末１から送信された要素情報（発光条件）を無線で受信し、無線（非接触）で棒状ライト２００に送信するようにしてもよい。
【０１２３】
さらに、図１１に示すように、携帯端末１は、色調整ステップＳ２０で調整した色の要素を含む色の要素情報を、表示制御部（表示画面）８０に表示したマトリックス型二次元コード（ＱＲコード）マークを用いて他の携帯端末１のカメラ機能を利用した読み取り機能で他の利用者と共有（シェア）することができる。
【０１２４】
これにより、図１２に示すように、色の要素を含む色の要素情報をシェアした棒状ライト２００とシェアしていない棒状ライト２００とで点灯状態を異ならせることができる。なお、表示制御部（表示画面）８０に表示したマトリックス型二次元コードマークは、例えば、棒状ライト２００の保持部１００のバッテリカバー１００ａの裏面に貼り付けたＱＲコードシールにより個体識別情報として保持し、このコードを携帯端末１で読み取ることにより対応させることができる。そして、携帯端末１で調整した色の要素を含む色の要素情報を、この読み取ったコードマークに展開して表示制御部８０に表示する。
【０１２５】
また、通信端末４００は、例えば、複数台の通信端末４００に対して一つの携帯端末１から要素情報を受信することができる。このため、例えば、歌謡コンサートの主催者側でキーホルダー等のグッズとして通信端末４００を販売するとともに、ユーザの好みの一つ以上の歌謡曲の曲調に対応した要素情報を棒状ライト２００に送信することができる。この際、ユーザは、複数の歌謡曲を選択し、選択した曲単位で単価を設定するなどの応用も可能である。
【０１２６】
以上、本発明について実施形態を用いて説明したが、本発明の技術的範囲は上記実施の形態に記載の範囲には限定されない。上記実施の形態に、多様な変更または改良を加えることが可能であることが明らかである。そのような変更または改良を加えた形態も本発明の技術的範囲に含まれ得ることが特許請求の範囲の記載から明らかである。
【符号の説明】
【０１２７】
１      携帯端末
２      アプリケーションソフト
３      パーソナルコンピュータ
４      赤外線リモコンの信号解析用の受信機
１０    受付部
２０    色調整部
３０    送信部
４０    受信部
５０    発光制御部
８０    表示制御部
９０    発光部
１００  ライト調整システム
１１０  保持部
１２０  胴体部
１３０  色の要素情報制御部
２００  棒状ライト
３００  回線
４００  通信端末
５００  通信端末
【図１】
2018022704.tif 000003
【図２】
2018022704.tif 000004
【図３】
2018022704.tif 000005
【図４】
2018022704.tif 000006
【図５】
2018022704.tif 000007
【図６】
2018022704.tif 000008
【図７】
2018022704.tif 000009
【図８】
2018022704.tif 000010
【図９】
2018022704.tif 000011
【図１０】
2018022704.tif 000012
【図１１】
2018022704.tif 000013
【図１２】
2018022704.tif 000014